(57)【要約】【課題】顔画像撮影と、外部無線通信手段の画像データのプリントとを選択し、使用しうる自動写真撮影システム及び自動写真撮影装置を提供すること。【解決手段】少なくとも、外部無線通信手段と、通信手段、顔画像を撮影する撮影手段、表示手段、プリント手段、及び、操作手段を有する自動写真撮影装置と、を備えた自動写真撮影システムにおいて、前記操作手段は、顔画像撮影モードと、外部無線通信手段に保存された画像データをプリントする画像データプリントモードとのいずれかのモードを選択する機能を有し、かつ、前記操作手段により前記画像データプリントモードが選択されたとき、当該自動写真撮影装置に付与した電話番号が前記表示手段に表示されるように構成したことを特徴とする自動写真撮影システム、及び自動写真撮影装置。【選択図】　　　　図３
2004128851.tif 000002
【特許請求の範囲】
【請求項１】
少なくとも、外部無線通信手段と、
当該外部無線通信手段との送受信が可能な通信手段、顔画像を撮影する撮影手段、画像情報を表示する表示手段、画像情報をプリントするプリント手段、及び、利用者が操作することができる操作手段を有する自動写真撮影装置と、
を備えた自動写真撮影システムにおいて、
前記操作手段は、顔画像撮影モードと、外部無線通信手段に保存された画像データをプリントする画像データプリントモードとのいずれかのモードを選択する機能を有し、かつ、
前記操作手段により前記画像データプリントモードが選択されたとき、当該自動写真撮影装置に付与した電話番号が前記表示手段に表示されるように構成したことを特徴とする自動写真撮影システム。
【請求項２】
利用者が前記表示手段に表示された前記電話番号に前記外部無線通信手段を用いて接続したとき、前記表示手段に利用者の識別番号が表示されるように構成したことを特徴とする請求項１に記載の自動写真撮影システム。
【請求項３】
顔画像を撮影する撮影手段と、外部無線通信手段との送受信が可能な通信手段と、画像情報を表示する表示手段と、画像情報をプリントするプリント手段と、利用者が操作することができる操作手段とを有する自動写真撮影装置において、
前記操作手段は、顔画像撮影モードと、外部無線通信手段に保存された画像データをプリントする画像データプリントモードとのいずれかのモードを選択する機能を有し、かつ、
前記操作手段により前記画像データプリントモードが選択されたとき、当該自動写真撮影装置に付与した電話番号が前記表示手段に表示されるように構成したことを特徴とする自動写真撮影装置。
【請求項４】
利用者が前記表示手段に表示された前記電話番号に前記外部無線通信手段を用いて接続したとき、前記表示手段に利用者の識別番号が表示されるように構成したことを特徴とする請求項３に記載の自動写真撮影装置。
【請求項５】
顔画像を撮影する撮影手段と、外部無線通信手段との送受信が可能な通信手段と、画像情報を表示する表示手段と、画像情報をプリントするプリント手段と、利用者が操作することができる操作手段とを有する自動写真撮影装置において、
前記操作手段は、顔画像撮影モードと、外部無線通信手段に保存された画像データをプリントする画像データプリントモードとのいずれかのモードを選択する機能を有し、かつ、
前記操作手段により前記画像データプリントモードが選択された場合には、当該自動写真撮影装置に付与した電話番号が前記表示手段に表示され、利用者が前記外部無線通信手段を用いて当該電話番号に接続したとき、前記通信手段により前記外部無線通信手段から送信された前記画像データを受信し、前記表示手段により表示し、前記プリント手段によりプリントするように構成すると共に、前記操作手段により前記画像データを消去するように構成したことを特徴とする自動写真撮影装置。
【請求項６】
利用者が前記表示手段に表示された前記電話番号に基づいて前記外部無線通信手段を用いて接続したとき、前記表示手段に利用者の識別番号が表示されるように構成したことを特徴とする請求項５に記載の自動写真撮影装置。
【発明の詳細な説明】
【０００１】
【発明の属する技術分野】
本発明は自動写真撮影装置に関し、詳しくは外部無線通信手段に保存された画像データをプリントすることが可能な自動写真撮影システム及び自動写真撮影装置に関する。
【０００２】
【従来の技術】
利用者の顔画像を撮影し、撮影した顔画像情報を通信回線を介してサーバに送信する機能を有する自動写真撮影装置が提案されている。
【０００３】
この方法及び装置において、利用者は、料金を投入し、撮影条件を入力し、顔画像を撮影及びプリントし、必要に応じて、撮影した顔画像情報をネットワークや無線を介してサーバに送信するものが提案されている（例えば、特許文献１）。
【０００４】
しかしながら、当該自動写真撮影装置で実際に撮影した画像のプリントは可能であるが、例えば、カメラ機能付き携帯電話機で撮影した画像を直接自動写真撮影装置からプリントすることはできなかった。
【０００５】
また、画像入出力装置に電話番号を付与して、カメラ機能付き携帯電話機に保存した画像データを画像入出力装置に送信し、該装置に備えられたプリント手段により前記画像データをプリントする画像処理システムが提案された（例えば、特許文献２）。
【０００６】
しかしながら、この画像処理システムにおいては、利用者がカメラ機能付き携帯電話機から画像入出力装置に接続するための電話番号は、インターネットや各種広告手段により一般に公開されるものであるため、プリント出力を目的とせず、単にいたずらを目的としてかけられた電話に対する対応はなされていなかった。
【０００７】
また、画像入出力装置を用いて画像データをプリントした場合、当該画像データがプリント終了後も当該画像入出力装置のメモリやサーバ等の記憶媒体中に残るため、利用者のプライバシーが十分に確保されていなかった。
【０００８】
【特許文献１】
特開２００１−２３６５０４号公報（第６〜８頁、第１〜２図）
【０００９】
【特許文献２】
特開平１１−５５６０７号公報（第４〜６頁、第１図）
【００１０】
【発明が解決しようとする課題】
本発明は上記の問題点を解決し、プリント出力を目的としないいたずら電話への対応がなされていると共に、プリント出力済みの画像データを自動写真撮影装置内の記憶媒体中に残さず利用者のプライバシーを保護することができる安全で信頼性の高い自動写真撮影装置を提供することを目的とする。
【００１１】
【課題を解決するための手段】
上記目的は下記の構成により達成される。
【００１２】
（１）少なくとも、外部無線通信手段と、
当該外部無線通信手段との送受信が可能な通信手段、顔画像を撮影する撮影手段、画像情報を表示する表示手段、画像情報をプリントするプリント手段、及び、利用者が操作することができる操作手段を有する自動写真撮影装置と、
を備えた自動写真撮影システムにおいて、
前記操作手段は、顔画像撮影モードと、外部無線通信手段に保存された画像データをプリントする画像データプリントモードとのいずれかのモードを選択する機能を有し、かつ、
前記操作手段により前記画像データプリントモードが選択されたとき、当該自動写真撮影装置に付与した電話番号が前記表示手段に表示されるように構成したことを特徴とする自動写真撮影システム。
【００１３】
（２）利用者が前記表示手段に表示された前記電話番号に前記外部無線通信手段を用いて接続したとき、前記表示手段に利用者の識別番号が表示されるように構成したことを特徴とする（１）に記載の自動写真撮影システム。
【００１４】
（３）顔画像を撮影する撮影手段と、外部無線通信手段との送受信が可能な通信手段と、画像情報を表示する表示手段と、画像情報をプリントするプリント手段と、利用者が操作することができる操作手段とを有する自動写真撮影装置において、
前記操作手段は、顔画像撮影モードと、外部無線通信手段に保存された画像データをプリントする画像データプリントモードとのいずれかのモードを選択する機能を有し、かつ、
前記操作手段により前記画像データプリントモードが選択されたとき、当該自動写真撮影装置に付与した電話番号が前記表示手段に表示されるように構成したことを特徴とする自動写真撮影装置。
【００１５】
（４）利用者が前記表示手段に表示された前記電話番号に前記外部無線通信手段を用いて接続したとき、前記表示手段に利用者の識別番号が表示されるように構成したことを特徴とする（３）に記載の自動写真撮影装置。
【００１６】
（５）顔画像を撮影する撮影手段と、外部無線通信手段との送受信が可能な通信手段と、画像情報を表示する表示手段と、画像情報をプリントするプリント手段と、利用者が操作することができる操作手段とを有する自動写真撮影装置において、
前記操作手段は、顔画像撮影モードと、外部無線通信手段に保存された画像データをプリントする画像データプリントモードとのいずれかのモードを選択する機能を有し、かつ、
前記操作手段により前記画像データプリントモードが選択された場合には、当該自動写真撮影装置に付与した電話番号が前記表示手段に表示され、利用者が前記外部無線通信手段を用いて当該電話番号に接続したとき、前記通信手段により前記外部無線通信手段から送信された前記画像データを受信し、前記表示手段により表示し、前記プリント手段によりプリントするように構成すると共に、前記操作手段により前記画像データを消去するように構成したことを特徴とする自動写真撮影装置。
【００１７】
（６）利用者が前記表示手段に表示された前記電話番号に基づいて前記外部無線通信手段を用いて接続したとき、前記表示手段に利用者の識別番号が表示されるように構成したことを特徴とする（５）に記載の自動写真撮影装置。
【００１８】
【発明の実施の形態】
本発明の実施の形態に係わる自動写真撮影システム及び自動写真撮影装置について図面を参照して説明する。最初に、実施の形態の自動写真撮影装置を適用した自動写真撮影システムについてその概要を説明する。図１は本発明の実施の形態に係わる自動写真撮影システムの概略図である。
【００１９】
以下に図面により、本発明を詳細に説明する。
図１に示すように、この自動写真撮影システムは、自動写真撮影装置１００、ＰＨＳ通信３０１、プロバイダー３０２、インターネット３０３、サーバ２００、利用者ＰＣ３０４、及び外部無線通信手段であるデジタルカメラ機能付き携帯電話機（以下、単に、携帯電話機ともいう。）９００等から構成されている。
【００２０】
利用者Ｐは、自動写真撮影装置１００で顔画像を撮影しプリントを受け取るか、携帯電話機９００で撮影し保存した画像データを自動写真撮影装置１００でプリントするかを自動写真撮影装置１００内に設けられたモード選択手段（後述）により選択し、顔画像撮影モードを選択することで自動写真撮影装置１００による顔画像の撮影及びプリントを行うことができ、画像データプリントモードを選択することで携帯電話機９００で撮影した画像データのプリントを行うことができる。
【００２１】
また、この自動写真撮影システムでは、自動写真撮影装置１００で撮影された顔画像情報や、携帯電話機９００で撮影した前記画像データを、無線電話サービス網としてＰＨＳ通信３０１を利用してプロバイダー３０２、インターネット３０３を介してサーバ２００に送り記憶保管する。このように、本発明では、顔画像情報や、携帯電話機で撮影した画像データを、自動写真撮影装置１００内に記憶、保管せず、サーバ２００に記憶、保管するため、利用者のプライバシー保護を可能にしている。
【００２２】
画像データ利用者は、必要に応じて、画像データ利用者ＰＣ３０４からサーバ２００にアクセスし、記憶されている顔画像情報や画像データを利用することができる。
【００２３】
次に、実施の形態に係わる自動写真撮影装置の外観の概要について説明する。図２は本発明の実施の形態に係わる自動写真撮影装置の外観斜視図である。図２に示すように、自動写真撮影装置１００は無人で主として野外、または駅、スーパー等の大型建造物内に設置され、各種証明用写真を得ることができる。装置の正面には利用者の入口１２とプリント取出口４０ａが設けられている。自動写真撮影装置１００の内部には、撮影表示窓３５ｄ、椅子１３、操作パネル２０ａ、料金支払い口３０ａ等が設けられている。
【００２４】
次いで、実施の形態に係わる自動写真撮影装置について、機械的構成および電気的構成に分け、最初に機械的構成から説明する。図３は本発明の実施の形態に係わる自動写真撮影装置の機械的な構成を示す正面断面図である。なお、一部電気的な構成も含むものとする。図３に自動写真撮影装置１００の外観を示す。
【００２５】
入口１２は自動写真撮影装置１００に設けた利用者Ｐの入る入口である。また、椅子１３は利用者Ｐが撮影またはプリントの操作のために座る椅子である。
【００２６】
操作手段２０を構成する操作パネル２０ａは、料金投入の指示をする受付手段と、利用者が顔画像を撮影する顔画像撮影モードまたは携帯電話機に保存された画像データをプリントする画像データプリントモードのどちらかを選択するモード選択手段と、証明写真の種類の選択、暗証番号またはＩＤ番号の入力、及び、利用者の撮影またはプリントのサービスに対する意思確認等の入力を行う情報入力手段との三つの機能を兼ね備えている。また、料金支払い手段３０は、料金支払い口３０ａより料金の支払いができる手段である。
【００２７】
撮影手段３５は、撮影カメラ３５ａ、主照明部３５ｂ、補助照明部３５ｃ、撮影表示窓３５ｄ等で構成され、主照明部３５ｂ、補助照明部３５ｃで利用者を照明して撮影カメラ３５ａにより撮影表示窓３５ｄを通して顔を撮影する手段である。
【００２８】
プリント手段４０は撮影手段３５による顔画像情報、または、通信手段６０がサーバ２００または携帯電話機９００から受信した画像データをプリントし、プリント取出口４０ａより取り出す手段である。表示手段５０は表示内容をハーフミラー５０ａで屈曲させ、撮影表示窓３５ｄに、顔画像撮影の場合は、撮影位置の確認表示、仮撮影の顔画像確認表示、各種案内表示等を行い、携帯電話機９００に記憶された画像データのプリントを行う場合は、自動写真撮影装置１００に付与された電話番号を表示して、利用者Ｐが携帯電話機９００より自動写真撮影装置１００にアクセスしたときに、予め決められている利用者ＰのＩＤ番号や携帯電話機９００の電話番号等の識別番号を表示すると共に、プリントの対象となる画像データの選択確認表示や各種案内表示等を表示する。
【００２９】
このように、本発明では、自動写真撮影装置１００で利用者Ｐが携帯電話機９００に記憶された画像データのプリントを行う画像データプリントモードを選択したときに初めて、自動写真撮影装置１００に付与された電話番号を利用者Ｐに知らせる。従って、自動写真撮影装置１００に付与した電話番号をむやみに公開する必要が無く、いたずら電話のようなプリント出力以外の目的で自動写真撮影装置１００への電話によるアクセスを防ぐことが可能である。
【００３０】
また、音声手段５５はスピーカ５５ａより操作手順、注意事項等を音声で利用者につたえる手段である。通信手段６０はアンテナ６０ａより無線でサーバ２００または携帯電話機９００との通信を行う手段であり、人物検出手段６５は光センサ６５ａにより自動写真撮影装置１００内に入った人物を検知する手段であるが詳しくは図４で説明する。電気関係ブロック８０についても図４で詳しく説明する。
【００３１】
携帯電話機９００で撮影し保存した画像データを自動写真撮影装置１００でプリントする場合、利用者は携帯電話機９００を持参して自動写真撮影装置１００の中に入る必要がある。
【００３２】
なお、以上の説明では、自動写真撮影装置とセンタ・サーバが別体となった構成を示したが、例えば、第三者がむやみにサーバへアクセスできない、しかも保存された画像データを緊急或いは大量に利用する必要のある学校のような特定の建造物内に設置した自動写真撮影装置等においては、自動写真撮影装置とセンタ・サーバを一体に設けるものでも良い。更に、自動写真撮影装置を構成する画像情報取得手段、表示手段、支払いを受ける手段、入力手段、プリンター、通信手段等やサーバを構成する通信手段、情報管理手段は各々一体となって本発明のシステムを構成することもできるし、各々またはその一部が別体となっていても良い。
【００３３】
次に、実施の形態に係わる自動写真撮影装置の電気的構成について説明する。図４は本発明の実施の形態に係わる自動写真撮影装置の電気的な構成を示すブロック図である。図４に示すように、電気関係ブロック８０は、制御手段７０、料金支払い部３１、表示部５１、操作部２１、撮影部３６、音声部５６、プリント部４１、通信部６１、及び人物検出部６６等で構成されている。
【００３４】
最初に、制御手段７０は自動写真撮影装置をシーケンシャルに制御し、また、料金支払い部３１、表示部５１、操作部２１、撮影部３６、音声部５６、プリント部４１、通信部６１及び人物検出部６６等の各ブロックを制御する。なお、各制御を実施するための制御プログラムも格納されている。
【００３５】
料金支払い部３１は料金支払い手段３０の電気部で、表示部５１は表示手段５０の電気部、操作部２１は操作手段２０の電気部である。操作手段２０には前記モード選択手段を含む。また、撮影部３６は撮影手段３５の電気部で、音声部５６は音声手段５５の電気部、プリント部４１はプリント手段４０の電気部である。
【００３６】
通信部６１は通信手段６０の電気部であり、携帯電話機の画像データを受信する機能、通信データを予め暗号処理しておく機能、顔画像情報、携帯電話機の画像データ、ＩＤ番号および暗証番号をサーバに送信する機能、無線通信のＰＨＳ通信を利用して外部のサーバと通信する機能等を有している。
【００３７】
また、人物検出部６６は人物検出手段６５の電気部であり、自動写真撮影装置１００内に人物がいるかどうかを検知する機能等を有している。
【００３８】
次に、自動写真撮影装置の主要動作について図３、図４および図５を参照して説明する。なお、図５は本発明の実施の形態に係わる自動写真撮影装置の主要動作のフローチャートである。
【００３９】
最初に、ステップＳ０１で、利用者Ｐは、顔画像の撮影を希望するのか、携帯電話機９００に保存された画像データのプリントを希望するのかを操作パネル２０ａのモード選択手段（例えば、タッチパネル画面）により選択する。
【００４０】
利用者Ｐが顔画像の撮影を選択した場合はステップＳ０２へ進み、ステップＳ０２で撮影条件（カラー／白黒の区分、サイズの選択等）を操作パネル２０ａにより入力する。
【００４１】
ステップＳ０３で利用者Ｐは撮影表示窓３５ｄに表示された料金を料金支払い口３０ａより支払う。
【００４２】
ステップＳ０４で利用者Ｐの顔画像の撮影が撮影手段３５により行われる。
ステップＳ０５で撮影表示窓３５ｄに撮影した顔画像の画像が表示され、利用者Ｐは希望する画像の選択または撮り直しの指示を操作パネル２０ａにより行う。
【００４３】
ステップＳ０６で、プリント手段４０により顔画像がプリントアウトされたプリントがプリント取出口４０ａに排出される。
【００４４】
一方、利用者Ｐが携帯電話機９００からの画像データのプリントを選択した場合はＳ０７へ進み、自動写真撮影装置１００は表示部５１に接続するための電話番号を表示し、利用者Ｐは携帯電話機９００を用いて自動写真撮影装置１００に接続する。
【００４５】
次に、ステップＳ０８で前記撮影表示窓３５ｄに表示された認証番号を携帯電話機９００または操作パネル２０ａを用いて自動写真撮影装置１００に送信または入力する。
【００４６】
ステップＳ０９で携帯電話機９００を用いて画像データを自動写真撮影装置１００に送信する。
【００４７】
ステップＳ１０で前記撮影表示窓３５ｄに表示された画像データの中から希望する画像データを選択する。
【００４８】
ステップＳ１１でプリント条件（カラー／白黒の区分、サイズ及び枚数の選択等）を操作パネル２０ａにより入力する。
【００４９】
ステップＳ１２で撮影表示窓３５ｄに表示された料金を料金支払い口３０ａを介して支払う。
【００５０】
ステップＳ１３でプリント手段４０により画像データがプリントされプリント取出口４０ａに排出されたプリントを利用者Ｐが受領する。
【００５１】
【発明の効果】
電話番号を一般に公開せず、利用者が装置内に入り画像データのプリントを選択したときに初めて表示手段に接続する電話番号が表示されることによりいたずら電話を防止することができ、かつ、入力した画像データをプリント後に消去することにより利用者のプライバシーを保護できる、安全で信頼できる自動写真撮影システム及び自動写真撮影装置を提供しうる。
【００５２】
また、電話番号を一般に公開しないので容易に変更できるため、いたずら電話の防止に対して、更なる効果が期待できる。
【図面の簡単な説明】
【図１】本発明の実施の形態に係わる自動写真撮影システムの概略図である。
【図２】本発明の実施の形態に係わる自動写真撮影装置の外観斜視図である。
【図３】本発明の実施の形態に係わる自動写真撮影装置の機械的な構成を示す正面断面図である。
【図４】本発明の実施の形態に係わる自動写真撮影装置の電気的な構成を示すブロック図である。
【図５】本発明の実施の形態に係わる自動写真撮影装置の主要動作のフローチャートである。
【符号の説明】
２０　操作手段
３０　料金支払い手段
３５　撮影手段
４０　プリント手段
６０　通信手段
７０　制御手段
１００　自動写真撮影装置
９００　外部無線通信手段（デジタルカメラ機能付き携帯電話機）
【図１】
2004128851.tif 000003
【図２】
2004128851.tif 000004
【図３】
2004128851.tif 000005
【図４】
2004128851.tif 000006
【図５】
2004128851.tif 000007